(57)【要約】【課題】警報器が所定の期間異常を検知していないという情報が含まれていないため、その家庭のガス供給環境が正常であるということを一見して判断できず、ガス事業者の管理センターが警報器周辺のガス供給環境の正常さを早期に確認する手段がないという課題を有していた。【解決手段】ガスメータ１４の制御手段１９は、警報器から異常な情報を入力し、連続して異常でない期間が所定期間に達すると正常判定手段１８により出力されるその警報器１６の周辺のガス供給環境は正常であるという情報をガス事業者の管理センター２１に送信する。【選択図】図１
2009251978.tif 000002
【特許請求の範囲】
【請求項１】
火災または可燃流体や有毒流体を検出する検出手段と、検出し異常だと判定され異常を報知する報知手段と、ガスメータと情報通信する警報通信手段とを備えた警報器と、前記警報器の異常がない期間が所定の期間に達し前記警報器の周辺のガス供給環境が正常であるという情報を出力する正常判定手段と、前記正常判定手段の情報を管理センターへ通報するメータ通信手段とを備えたガスメータと、前記メータ通信手段の情報を基に警報器を管理する管理センターで構成された警報器管理システム。
【請求項２】
請求項１の記載の警報器管理システムの全てもしくは一部として、コンピュータを機能させるプログラム。
【発明の詳細な説明】
【技術分野】
【０００１】
本発明は、ガスの使用流量を計測するガスメータと屋内に設置された警報器との連携において、警報器の正常動作の管理を効率よく行うための警報器管理システムに関するものである。
【背景技術】
【０００２】
従来、この種の警報器管理システムとしては、警報器が、ガス漏れや火災警報の警報回数、あるいは、ガス漏れや火災警報の種類などの情報を警報通信手段を介してガスメータに報知するものがあった（例えば特許文献１参照）。以下、その構成について図３を参照しながら説明する。
【０００３】
図３において警報器管理システムは、流路１０に流れるガスの流量を計測する流量計測手段１１と、異常を検出すればガスを遮断するガス遮断手段としての遮断弁１２と、外部機器と情報通信するメータ通信手段１３とを備えたガスメータ１４と、前記ガスメータ１４と情報通信する警報通信手段１５を備えた警報器１６とで構成され、前記警報器１６の機器情報をガスメータ１４に送信して警報器の管理を行うものである。ここで、１７は報知手段、１９は制御手段、２０はガス器具である。また、２１はガス事業者の管理センター、２２は自治体の管理センターである。
【０００４】
そして、ガス漏れ警報器１６は、図２に示すように、火災または可燃流体や有毒流体を検出する情報検知手段としてのガスセンサー２３と、外部へ異常を報知する報知手段２４とを備えている。
【０００５】
上記構成において、警報器１６は、ガス漏れや火災警報の警報回数や、ガス漏れや火災警報の種類などの情報を、警報通信手段１５を介してガスメータ１４に報知させることで、ガス事業者および自治体のセンターがガス事故の予兆現象を捉えることができ、点検を進めることができるので事故の防止に役立てるということになっていた。
【特許文献１】特開２００７−２２６２８２号公報
【発明の開示】
【発明が解決しようとする課題】
【０００６】
しかしながら、前記従来の構成では、警報器が所定の期間異常を検知していないという情報が含まれていないため、その家庭のガス供給環境が正常であるということを一見して判断できないという課題があった。
【課題を解決するための手段】
【０００７】
前記従来の課題を解決するために、本発明の警報器管理システムは、警報器が所定の期間異常を検知していないことを判定する正常判定手段を備えたガスメータと、前記報知手段によりその正常判定の情報を管理センターに送る構成とした。これによって、管理センターは即座に正常な環境でガスが供給されていることが分かり、効率よく警報器の管理を行うことができる。
【発明の効果】
【０００８】
本発明の警報器管理システムは、警報器を管理する警報器管理手段と、前記警報器管理手段の管理結果を出力する報知手段とを備えたガスメータと、前記報知手段の情報を基に警報器を管理する管理センターで構成されたもので、ガスの専門家であるガス供給者に知らせることができ、速やかに警報器の交換や設置を行うことができる。
【発明を実施するための最良の形態】
【０００９】
第１の発明は、火災または可燃流体や有毒流体を検出する検出手段と、検出し異常だと判定され異常を報知する警報器報知手段と、ガスメータと情報通信する警報通信手段とを備えた警報器と、前記警報器の異常がない期間が所定の期間に達し前記警報器の周辺のガス供給環境が正常であるという情報を出力する正常判定手段と、前記正常判定手段の情報を管理センターへ通報するメータ通信手段とを備えたガスメータと、前記メータ通信手段の情報を基に管理センターが警報器を管理するような構成にすることで、管理センターはその警報器周辺のガス供給環境の正常さを即座に把握でき、効率よく管理を行うことができる。
【００１０】
第２の発明は、第１の発明に記載のガス遮断装置の全てもしくは一部として、コンピュータを機能させるプログラムである。そして、プログラムであるので汎用コンピュータやサーバーを用いて本発明のプログラムの少なくとも一部を容易に実現できる。また記録媒体に記録したり通信回線を用いてプログラムを配信したりすることでプログラムの配布やインストール作業が簡単にできる。
【００１１】
以下、本発明の実施の形態について、図面を参照しながら説明する。なお、本実施の形態によって本発明が限定されるものではない。
【００１２】
（実施の形態１）
本発明の第１の実施の形態における警報器管理システムのブロック図を図１に、同ブロック図を図２示すものである。図１と図２において警報器管理システムは、流路１０に流れるガスの流量を計測する流量計測手段としての超音波流量計１１と、異常を検出すればガスを遮断するガス遮断手段としての遮断弁１２と、外部機器と情報通信するメータ通信手段１３とを備えたガスメータ１４と、前記ガスメータ１４と情報通信する警報通信手段１５を備えた警報器の一例であるガス漏れ警報器１６とで構成され、前記ガス漏れ警報器１６の機器情報をガスメータ１４に送信して警報器の管理を行うものである。ここで、１７は報知手段、１８は正常判定手段、１９は制御手段、２０はガス器具である。また、２１はガス事業者の管理センター、２２は自治体の管理センターである。
【００１３】
そして、ガス漏れ警報器１６は、図２に示すように、火災または可燃流体や有毒流体を検出する情報検知手段としてのガスセンサー２３と、外部へ異常を報知する報知手段２４とを備えている。ここで、２５は電池、２６は制御手段である。
【００１４】
以上のように構成された警報器管理システムについて、その動作、作用を説明する。
【００１５】
ガスセンサー２３で検知したガスの濃度が異常な数値になると、制御手段２６は異常だと判定し、警報通信手段１５を介してガスメータ１４や報知手段２４へ異常の情報を伝える。ガスメータ１４は、ガス漏れ警報器１６から異常の情報を入力すると、制御手段１９により警告および遮断判定を行い、ガス事業者の管理センター２１に異常情報を送信したり、報知手段１７により異常を報知したり、遮断弁１２により流路１０を遮断したりする。
【００１６】
そして、ガスメータ１４の制御手段１９は、自身が管理するタイマーで電源オンまたは異常情報の入力を検知してからゼロスタートするカウンタを持ち、そのカウントが所定期間に達する、つまり連続して異常でない期間が所定期間に達すると正常判定手段１８によりその警報器１６の周辺のガス供給環境は正常であるという情報をガス事業者の管理センター２１に送信する。ここで、所定期間とは、１年や、１ヶ月、１週間、１日などの時間単位である。
【００１７】
また、ガス事業者２１だけでなく、警報器設置を義務付けている自治体２２にその情報を提供することで、自治体２２が管理することも可能である。そして、自治体２２はガス事業者からの情報を受けるようにすれば、大きなシステム導入をしなくても警報器の管理を実現できるメリットがある。
【００１８】
自治体２２は、一般住宅へも火災報知器等の警報機の設置を義務付けるように法制化してきているが、設置された警報器の周辺のガス供給環境が正常であることを簡単に確認する手段がなかった。上記のようにガスメータに設けた通信手段と警報器に設けた通信手段を利用することですることで、正常な状態の管理が容易に行えることになり、管理労力を削減することができる。
【００１９】
なお、以上の説明は、ガスメータが管理センター送信する構成で説明してきたが、警報器の通信手段によって情報を管理センターに通信して管理することでも同様の効果が得られる。また、通信手段は、無線による送受信で図示したが、有線で構成しても同様の効果が得られることは明白である。特に、ＬＡＮや電話回線等ガスメータからガス事業者、あるいはガス事業者と自治体との間は、既設の電話回線やＬＡＮを利用することで低コストにシステム構築できる。
【００２０】
さらに、上記各実施の形態においては制御手段に格納してあるプログラムでマイクロコンピュータを機能させて制御フローを実行しているが、プログラムに代えハードを以って実行することも可能である。また、ガス遮断装置、警報器の各信号の伝達方式として、有線方式、無線方式、あるいは有線及び無線方式の組み合わせのいずれにおいても適用できる。
【産業上の利用可能性】
【００２１】
以上のように、本発明にかかるガスメータに設けられた外部機器と情報通信するメータ通信手段と、火災または可燃流体や有毒流体を検出して異常を報知する警報器に設けられてガスメータと情報通信する警報通信手段と、前記警報器の異常情報を前記ガスメータに送信して警報器の管理を行う構成とした。これによって、ガスメータが、警報器の連続異常なし期間を管理でき、ガスメータが報知することで、ガスの専門家であるガス供給者に知らせることができ、簡単に警報器の周辺のガス供給環境が正常であることが分かり、管理労力を削減することができる。
【図面の簡単な説明】
【００２２】
【図１】本発明の実施形態１における警報器管理システムのブロック図
【図２】同警報器管理システムのブロック図
【図３】従来の警報器管理システムのブロック図
【符号の説明】
【００２３】
１０  流路
１１  流量計測手段
１２  遮断弁
１３  メータ通信手段
１４  ガスメータ
１５  警報通信手段
１６  ガス漏れ警報器
１７  報知手段
１８  正常判定手段
１９  制御手段
２０  器具
２１  管理センターとしてのガス事業者
２２  管理団体としての自治体
２３  ガスセンサー
２４  報知手段
２５  電池
２６  制御手段
【図１】
2009251978.tif 000003
【図２】
2009251978.tif 000004
【図３】
2009251978.tif 000005